(57)【特許請求の範囲】
【請求項１】
電子メールの送受信を行うことができると共に、送信したメール文書および受信したメール文書を表示部に表示することができる通信端末装置であって、
真のメール文章に対応した真のメールデータと前記真のメール文章をカムフラージュする偽のメール文章に対応した偽のメールデータとを含む電子メールを送信することができるメール送信部と、
前記偽のメールデータを含んだ電子メールを受信することができるメール受信部と、
前記偽のメールデータを含んだ電子メールが開封されたときには予め定められた隠しコマンドの入力を求めるガイド表示を行うことなく前記偽のメールデータに基づいた偽のメール文章を前記表示部に表示させ、隠しコマンドが入力されたときには、入力された隠しコマンドと所定の記憶部に格納されている隠しコマンドとを照合し、入力された隠しコマンドと所定の記憶部に格納されている隠しコマンドとが一致したならば、前記偽のメール文章の表示を終了するとともに、前記真のメール文章を前記表示部に表示させ、入力された隠しコマンドと所定の記憶部に格納されている隠しコマンドとが一致しないならば、前記真のメールの表示処理を強制終了する表示制御部と、
を有することを特徴とする通信端末装置。
【請求項２】
真の送信元を特定する真の送信元情報と偽の送信元を表す偽の送信元情報とを対応づけて管理すると共に、真の送信先を特定する真の送信先情報と偽の送信先を表す偽の送信先情報とを対応づけて管理するカムフラージュ用管理テーブルを更に有し、
前記表示制御部は、前記偽のメールデータを含んだ電子メールの開封時には、前記真の送信元情報を元に前記カムフラージュ用管理テーブルから読み出した偽の送信元を前記表示部に表示させ、予め定められた隠しコマンドが入力されたときには前記真の送信元を前記表示部に表示させる、
ことを特徴とする請求項１に記載の通信端末装置。
【請求項３】
電子メールの送受信履歴を管理するロギング部を更に有し、
前記表示制御部は、前記ロギング部が管理している電子メールの送受信履歴を前記表示部に表示させることができ、前記偽のメールデータを含んだ電子メールの送受信履歴については前記真の送信先、前記真の送信元、および前記真のメール文書の各々を非表示とし、前記偽の送信先または前記偽の送信元、および前記偽のメール文書を表示させる、
ことを特徴とする請求項１または２に記載の通信端末装置。
【請求項４】
メール文章が表示される表示部を備えた通信端末装置間で電子メールを送受信する電子メールの送受信方法であって、
真のメール文章に対応した真のメールデータと前記真のメール文章をカムフラージュする偽のメール文章に対応した偽のメールデータとを含む電子メールを送信するメール送信ステップと、
前記偽のメールデータを含んだ電子メールを受信するメール受信ステップと、
前記偽のメールデータを含んだ電子メールが開封されたときには予め定められた隠しコマンドの入力を求めるガイド表示を行うことなく前記偽のメールデータに基づいた偽のメール文章を前記表示部に表示させ、予め定められた隠しコマンドが入力されたときには、入力された隠しコマンドと所定の記憶部に格納されている隠しコマンドとを照合し、入力された隠しコマンドと所定の記憶部に格納されている隠しコマンドとが一致したならば、前記偽のメール文章の表示を終了するとともに、前記真のメール文章を前記表示部に表示させ、入力された隠しコマンドと所定の記憶部に格納されている隠しコマンドとが一致しないならば、前記真のメールの表示処理を強制終了するメール文書表示ステップと、
を含むことを特徴とする電子メールの送受信方法。
【請求項５】
メール文章が表示される表示部を備えた通信端末装置間で電子メールの送受信を行う際に前記通信端末の動作を制御するプログラムであって、
送信側の通信端末装置には、真のメール文章に対応した真のメールデータと前記真のメール文章をカムフラージュする偽のメール文章に対応した偽のメールデータとを含む電子メールを送信するメール送信ステップを行わせ、
受信側の通信端末装置には、前記偽のメールデータを含んだ電子メールを受信するメール受信ステップと、前記偽のメールデータを含んだ電子メールが開封されたときには予め定められた隠しコマンドの入力を求めるガイド表示を行うことなく前記偽のメールデータに基づいた偽のメール文章を前記表示部に表示し、予め定められた隠しコマンドが入力されたときには、入力された隠しコマンドと所定の記憶部に格納されている隠しコマンドとを照合し、入力された隠しコマンドと所定の記憶部に格納されている隠しコマンドとが一致したならば、前記偽のメール文章の表示を終了するとともに、前記真のメール文章を前記表示部に表示し、入力された隠しコマンドと所定の記憶部に格納されている隠しコマンドとが一致しないならば、前記真のメールの表示処理を強制終了するメール文書表示ステップとを行わせる、
ことを特徴とするプログラム。
【発明の詳細な説明】
【技術分野】
【０００１】
本発明は、電子メールの送受信を行うことができる通信端末装置、通信端末装置間での電子メールの送受信方法、および該電子メールの送受信方法に関わるプログラムに関するものである。
【背景技術】
【０００２】
今日では、パーソナルコンピュータや携帯電話端末等の種々の通信端末装置により電子メールの送受信が可能になっており、第三者に閲覧されたくない情報を当該通信端末装置により送受信する機会も増えている。このため、第三者による電子メールの閲覧を防止するための技術も種々開発されている。
【０００３】
例えば特許文献１には、ユーザ専用ボックスに電子メールが送信されてきたときに、電子メールの受信報告を受信内容とは異なる暗号化された一意の形式で所定のアドレスに送信する携帯電話電子メール私書箱が記載されている。また、暗号化よりも簡易な方法として、電子メールソフトにパスワード入力や生体認証等の認証機能をもたせる方法も知られている。認証機能が付加された電子メールソフトは、正当な使用者であると認証できたときにしか起動しないので、第三者による電子メールの閲覧を防止することができる。
【０００４】
【特許文献１】特開２００４−２６５３６１号公報
【発明の開示】
【発明が解決しようとする課題】
【０００５】
しかしながら、電子メールソフトにパスワード入力や生体認証等の認証機能をもたせる方法では、閲覧防止策を講じていることが明白になるので、他人に見られたくない内容の電子メールを送受信していることが第三者に判ってしまい、秘密保持の観点から問題になることもある。
【０００６】
この発明は上記の事情に鑑みてなされたものであり、第三者に察知され難い閲覧防止策により第三者による電子メールの閲覧を防止することができる通信端末装置および電子メールの送受信方法、ならびに電子メールの送受信方法に関わるプログラムを提供することを目的とする。
【課題を解決するための手段】
【０００７】
上記の目的を達成する第１の発明の通信端末装置は、電子メールの送受信を行うことができると共に、送信したメール文書および受信したメール文書を表示部に表示することができる通信端末装置であって、真のメール文章に対応した真のメールデータと真のメール文章をカムフラージュする偽のメール文章に対応したダミー情報とを含む電子メールを送信することができるメール送信部と、ダミー情報を含んだ電子メールを受信することができるメール受信部と、ダミー情報を含んだ電子メールが開封されたときにはダミー情報に基づいた偽のメール文章を表示部に表示させ、予め定められた隠しコマンドが入力されたときには真のメール文章を表示部に表示させる表示制御部とを有する。
【０００８】
この通信端末装置では、第三者であっても認証を行うことなく電子メールソフトを起動させて電子メール（偽のメール文書）を閲覧するが可能であるので、第三者からすると閲覧防止策が講じられていることを察知し難い。また、真のメール文章は隠しコマンドが入力されない限りは表示されないので、第三者による真のメール文書の閲覧を防止することができる。
【０００９】
第２の発明の通信端末装置は、上記第１の発明の通信端末装置に含まれるのであり、ダミー情報は偽のメール文章に対応した偽のメールデータを含み、表示制御部は、偽のメールデータを含んだ電子メールが開封されたときに偽のメール文書を表示部に表示させる。
【００１０】
この通信端末装置では、電子メールを送信したときに真のメール文書と偽のメール文章とを保存しておくことが可能になるので、たとえ電子メールの送信履歴を第三者が見たときでも偽のメール文章を表示させて真のメール文書が閲覧されてしまうのを防止することが容易になる。
【００１１】
第３の発明の通信端末装置は、上記第１の発明の通信端末装置に含まれるのであり、ダミー情報は偽のメール文書の作成を指示するコマンドであり、該コマンドを含んだ電子メールをメール受信部が受信したときに、コマンドに基づいて偽のメール文章を自動作成する文書ジェネレータを更に有し、表示制御部は、コマンドを含んだ電子メールが開封されたときに、文書ジェネレータが自動作成した偽のメール文章を表示部に表示させる。
【００１２】
この通信端末装置では、電子メールを送信するときに偽のメール文書を入力しなくても第三者による真のメール文書の閲覧を受信端末側で防止することができるので、その利便性が高い。
【００１３】
第４の発明の通信端末装置は、上記第１〜３のいずれか１つの発明の通信端末装置に含まれるのであり、真の送信元を特定する真の送信元情報と偽の送信元を表す偽の送信元情報とを対応づけて管理すると共に、真の送信先を特定する真の送信先情報と偽の送信先を表す偽の送信先情報とを対応づけて管理するカムフラージュ用管理テーブルを更に有し、表示制御部は、ダミー情報を含んだ電子メールの開封時には、真の送信元情報を元にカムフラージュ用管理テーブルから読み出した偽の送信元を表示部に表示させ、予め定められた隠しコマンドが入力されたときには真の送信元を表示部に表示させる。
【００１４】
この通信端末装置では、電子メールの送信元についても隠しコマンドが入力されない限りは偽の送信元が表示部に表示されるので、閲覧防止策が講じられていることを送信元の表示から第三者に察知されてしまうのを防止することができる。
【００１５】
第５の発明の通信端末装置は、上記第４の発明の通信端末装置に含まれるのであり、電子メールの送受信履歴を管理するロギング部を更に有し、表示制御部は、ロギング部が管理している電子メールの送受信履歴を表示部に表示させることができ、ダミー情報を含んだ電子メールの送受信履歴については真の送信先、真の送信元、および真のメール文書の各々を非表示とし、偽の送信先または偽の送信元、および偽のメール文書を表示させる。
【００１６】
この通信端末装置では、電子メールの送受信履歴を表示部に表示するときでも偽の送信元または偽の送信先が表示されるので、閲覧防止策が講じられていることを送受信履歴の表示から第三者に察知されてしまうのを防止することができる。
【００１７】
上記の目的を達成する第６の発明の電子メールの送受信方法は、メール文章が表示される表示部を備えた通信端末装置間で電子メールを送受信する電子メールの送受信方法であって、真のメール文章に対応した真のメールデータと真のメール文章をカムフラージュする偽のメール文章に対応したダミー情報とを含む電子メールを送信するメール送信ステップと、ダミー情報を含んだ電子メールを受信するメール受信ステップと、ダミー情報を含んだ電子メールが開封されたときにはダミー情報に基づいた偽のメール文章を表示部に表示させ、予め定められた隠しコマンドが入力されたときには真のメール文章を表示部に表示させるメール文書表示ステップとを含み、上記の目的を達成する第７の発明のプログラムは上記の各ステップを通信端末装置に行わせる。
【発明の効果】
【００１８】
この発明の通信端末装置および電子メールの送受信方法では、第三者に察知され難い閲覧防止策により第三者による電子メールの閲覧を防止することができるので、秘密保持という点からみた電子メールの安全性を高めることができる。
【発明を実施するための最良の形態】
【００１９】
以下、添付図面を参照して、この発明の通信端末装置を具体的に説明する。なお、この発明は以下に説明する実施例に限定されるものではない。
【実施例１】
【００２０】
図１は、この発明の電子メールの送受信方法に基づいた電子メールの送受信を概略的に示す概念図である。当該送受信方法では、真のメール文章に対応した真のメールデータと真のメール文章をカムフラージュする偽のメール文章に対応したダミー情報とを含む電子メールを送信し、受信側の通信端末装置で電子メールが開封されたときにはダミー情報に基づいた偽のメール文章を表示部に表示させ、予め定められた隠しコマンドが入力されたときには真のメール文章を表示部に表示させる。
【００２１】
図示の例では、「鈴木課長」という偽の名が付けられた加藤花子さんの通信端末装置１００Ａ（以下の説明および図１においては、「送信端末１００Ａ」と表記している）から、「山本社長」という偽の名が付けられた佐藤一郎さんの通信端末装置１００Ｂ（以下の説明および図１においては、「受信端末１００Ｂ」と表記している）に、電子メールを送信している。
【００２２】
送信端末１００Ａにおいては、真のメール文書Ｓｔと偽のメール文書Ｓｄとが作成される。各メール文書Ｓｔ，Ｓｄは件名Ｓｕと本文Ｂとを有しており、送信端末１００Ａから受信端末１００Ｂへは、真のメール文書Ｓｔに対応した真のメールデータと偽のメール文書Ｓｄに対応した偽のメールデータとを含む電子メールＥＭが送信される。ただし、受信端末１００Ｂでは、「鈴木課長」という偽の送信元Ｎｄ1と偽のメール文書Ｓｄとが表示される。受信端末１００Ｂでは、これら偽の送信元Ｎｄ1と偽のメール文書Ｓｄとが表示された状態で隠しコマンドＣｈ1が入力されたときに初めて、「加藤花子」という真の送信元Ｎｔ1と真のメール文章Ｓｔとが表示される。
【００２３】
一方、送信端末１００Ａでは、送信履歴の表示を指示する指令Ｃが入力されたときに、佐藤一郎さんに付けられた偽の名である「山本社長」という偽の送信先Ｎｄ2と偽のメール文章Ｓｄとが表示される。これら偽の送信先Ｎｄ2と偽のメール文書Ｓｄとが表示された状態で送信端末１００Ａに隠しコマンドＣｈ2が入力されたときに初めて、「佐藤一郎」という真の送信元Ｎｔ2と真のメール文章Ｓｔとが表示される。
【００２４】
これらの通信端末装置１００Ａ，１００Ｂでは、第三者であっても認証を行うことなく電子メールソフトを起動させて電子メールを閲覧するが可能であるが、隠しコマンドＣｈ1，Ｃｈ2が未入力の状態では、偽の送信元Ｎｄ1または偽の送信先Ｎｄ2と偽のメール文書Ｓｄしか表示されない。真の送信元Ｎｔ2または真の送信先Ｎｔ2と真のメール文章Ｓｔは、隠しコマンドＣｈ1，Ｃｈ2が入力されない限りは表示されない。
【００２５】
この発明の電子メールの送受信方法に基づいて電子メールの送受信を行う通信端末装置１００Ａ，１００Ｂによれば、閲覧防止策が講じられていることを第三者に察知されることなく、かつ第三者に真のメール文書Ｓｔを閲覧されることなく、電子メールの送受信を行うことができる。秘密保持という点からみた電子メールの安全性を高めることができる。このような技術的効果を奏する通信端末装置は、種々の構成をとることができる。以下、図２を参照して、通信端末装置の構成例を具体的に説明する。
【００２６】
図２は、この発明の通信端末装置の一例を概略的に示すブロック図である。同図に示す通信端末装置１００は、電話端末としての機能と電子メールを送受信する機能とを有する携帯電話端末（以下、「携帯電話端末１００」という）である。この携帯電話端末１００は、真のメール文書に対応した真のメールデータと偽のメール文章に対応したダミー情報とを含む電子メールを送信し、ダミー情報を含んだ電子メールを受信したときには偽のメール文書を表示する機能を有している。上記のダミー情報は、真のメール文章をカムフラージュする偽のメール文章に対応した偽のメールデータを含んでおり、真のメール文書は隠しコマンドが入力されたときに初めて表示される。
【００２７】
上述の機能を有する携帯電話端末１００は、入力部１、主表示部５、補助表示部１０、送話部１５、受話部２０、送受信処理部２５、第１アンテナ部３０、メール送信部３５、第２アンテナ部４０、メール受信部４５、制御部６０、記憶部６５、ロギング部７０、および着信報知部７５を備えている。以下、携帯電話端末１００の各構成部材について説明し、その後、携帯電話端末１００による電子メールの送受信処理について説明する。
【００２８】
上記の入力部１は、電話番号、メール文章、指令等の入力に用いられるものであり、テンキーやメニューキー等（図示せず）を含んで構成される。主表示部５には、入力部１から入力された電話番号やメール文章、あるいは受信した電子メールのメール文書等が表示され、補助表示部１０には着信情報や時刻等が表示される。送話部１５は、入力された音声を電気的な音声信号に変換して送受信処理部２５に送る。また、受話部２０は、送受信処理部２５から送られてくる電気的な音声信号に基づいて音声を合成し、出力する。
【００２９】
送受信処理部２５は、電話の発信時に制御部６０から電気信号の形で送られてくる発信先情報および発信元情報を電波信号に変換して第１アンテナ部３０に送り、ここから発信させる。そして、電話応答を行うときには、送話部１５から送られてくる音声信号を元に音声データを作成して第１アンテナ部３０から発信させると共に、第１アンテナ部３０を介して受信した音声データを所定の音声信号に変換して受話部２０に送る。
【００３０】
また、送受信処理部２５は、第１アンテナ部３０を介して呼出し信号を受信したときには、当該呼出し信号から発信元情報を抽出して電気信号に変換し、これを制御部６０に送る。呼出し信号の受信に引き続いて電話応答を行うときには、第１アンテナ部３０を介して受信した音声データを所定の音声信号に変換して受話部２０に送ると共に、送話部１５から送られてくる音声信号を元に音声データを作成して第１アンテナ部３０から発信させる。
【００３１】
メール送信部３５は、制御部６０から電気信号の形で送られてくる電子メール情報を元に電子メールを作成して第２アンテナ部４０から発信させる。上記の電子メール情報には、送信しようとするメール文章に対応したメールデータと、送信先情報と、送信元情報とが含まれ、メールデータには、真のメール文章に対応した真のメールデータと、偽のメール文章に対応した偽のメールデータとが含まれる。
【００３２】
メール受信部４５は、第２アンテナ部４０を介して受信した電子メールからメールデータと送信元情報とを別々に抽出し、これらを電気信号に変換して制御部６０に送る。なお、図２においては第１アンテナ部３０と第２アンテナ部４０とを別々の部材として描いているが、１つのアンテナ部に第１アンテナ部３０と第２アンテナ部４０とを兼ねさせることも可能である。
【００３３】
制御部６０は、記憶部６５に予め格納されているプログラムや入力部１から入力された指令等に従って主表示部５、補助表示部１０、送話部１５、受話部２０、送受信処理部２５、メール送信部３５、メール受信部４５、ロギング部７０、および着信報知部７５の動作を制御する。そのために、当該制御部６０は指令処理部５１、第１通信制御部５２、第２通信制御部５３、表示制御部５４、および隠しコマンド制御部５５を有している。
【００３４】
上記の指令処理部５１は、入力部１から入力された指令等に基づいて第１通信制御部５２、第２通信制御部５３、表示制御部５４、および隠しコマンド制御部５５を含めた各部の動作を制御する。
【００３５】
第１通信制御部５２は、送話部１５、受話部２０、および送受信処理部２５の動作を制御して携帯電話端末７０を電話端末として機能させるものであり、電話の発信時には、発信先情報および発信元情報を電気信号にして送受信処理部２５に送ると共に、第１発信信号をロギング部７０に送る。発信先情報は入力部１から入力されて記憶部６５に格納されており、発信元情報は記憶部６５に予め格納されているので、第１通信制御部５２は、電話の発信時にこれらの情報を記憶部６５から読み出して電気信号に変換する。また、電話の着信時（呼出し信号の受信時）には、送受信処理部２５から送られてくる発信元情報を記憶部６５に格納すると共に、所定の第１受信信号を表示制御部５４およびロギング部７０に送る。さらには、電話の着信時に着信報知部７５を動作させる。
【００３６】
第２通信制御部５３は、電子メールの送受信時にメール送信部３５、メール受信部４５の動作を制御するものであり、電子メールの送信時には、メールデータと送信先情報と送信元情報とを含む電子メール情報を電気信号にしてメール送信部３５に送ると共に、第２送信信号をロギング部７０に送る。送信先情報は入力部１から入力されて記憶部６５に格納されており、送信元情報は記憶部６５に予め格納されているので、第２通信制御部５３は、電子メール情報の作成時にこれらの情報を記憶部６５から読み出して電気信号に変換する。また、電子メールの受信時には、メール受信部４５から送られてくる送信元情報とメールデータとを記憶部６５に格納すると共に、所定の第２受信信号を表示制御部５４およびロギング部７０に送る。さらには、電子メールの受信時に着信報知部７５を動作させる。
【００３７】
なお、電話発信時の発信先情報は、発信先の電話番号情報のまま、あるいは当該電話番号情報に対応づけられた固有名詞情報として記憶部５５に格納される。電話発信時の発信元情報、電話着信時の発信元情報、電子メール送信時の送信元情報、電子メール送信時の送信先情報、および電子メール着信時の送信元情報についても同様である。また、これらの情報を非開示にして電話や電子メールの送受信を行うことも可能である。
【００３８】
表示制御部５４は、主表示部５および補助表示部１０の動作を制御する。例えば、入力部１から電話番号やメール文章が入力されると、これらが文字・図形情報として主表示部５に表示されるように主表示部５の動作を制御する。また、電話の着信時（呼出し信号の受信時）に第１通信制御部５２から第１受信信号を受けると、第１通信制御部５２が記憶部６５に格納した発信元情報を読み出して補助表示部１０に送り、該補助表示部１０に発信元を表示させる。発信元情報が非開示になっているときには、電話の着信があったことを示す情報を補助表示部１０に送って該補助表示部１０に表させる。
【００３９】
同様に、電子メールの着信時に第２通信制御部５３から第２受信信号を受けると、第２通信制御部５３が記憶部６５に格納した送信元情報を読み出して補助表示部１０に送り、該補助表示部１０に発信元を表示させる。送信元情報が非開示になっているときには、電子メールの着信があったことを示す情報を補助表示部１０に送って該補助表示部１０に表させる。電子メールの開封時には、指令処理部５１の制御の下に記憶部６５からメールデータや送信元情報を読みしだして、主表示部５に送信者名やメール文書を表示させる。
【００４０】
隠しコマンド制御部５５は、入力部１から入力されたデータに基づいて隠しコマンドの設定や変更等を行う他に、隠しコマンドの設定や変更等を指示する指令が入力部１から入力されたときに表示制御部５４の動作を制御して、所定の隠しコマンド設定画面や隠しコマンド変更画面を主表示部５に表示させる。また、隠しコマンドが設定された後に隠しコマンドが入力部１から入力されたときに、入力された隠しコマンドと既に設定されている隠しコマンドとを照合し、照合結果を指令処理部５１に伝える。
【００４１】
記憶部６５には、電子メールソフトやダミーデータ管理用のソフトウエア等のアプリケーションソフトを含む制御プログラムや発信先情報、発信元情報、送信先情報、送信元情報等が格納される。また、この記憶部６５には、真のメール文書と偽のメール文書との対応関係、真の送信元を特定する真の送信元情報と偽の送信元を表す偽の送信元情報との対応関係、および真の送信先を特定する真の送信先情報と偽の送信先を表す偽の送信先情報との対応関係がそれぞれ記録されたカムフラージュ用管理テーブル６５ａが指令処理部５１により構築される。さらには、電話の送受話履歴および電子メールの送受信履歴を管理するロギングテーブル（図示せず）がロギング部７０により構築される。
【００４２】
ロギング部７０は、記憶部６５に上記のロギングテーブルを構築して、携帯電話端末１００での電話機能による送受話履歴および電子メールの送受信履歴を管理する。第１通信制御部５２から前述の第１送信信号や第１受信信号が送られてくると、発信先情報や発信元情報を送受信処理部２５または記憶部６５から得て上記のロギングテーブルを更新する。同様に、第２通信制御部５３から前述の第２送信信号や第２受信信号が送られてくると、第２通信制御部５３が記憶部６５に格納した送信先情報や送信元情報を読み出して上記のロギングテーブルを更新する。そして、指令処理部５１から電話の送受話履歴または電子メールの送受信履歴を表示する指令を受けると、所定のデータをロギングテーブルから読み出して指令処理部５１に送る。当該データを受けた指令処理部５１は表示制御部５４の動作を制御して、上記の履歴に対応した所定の情報を主表示部５に表示させる。
【００４３】
着信報知部７５は、電話や電子メールの着信があったときに第１通信制御部５２または第２通信制御部５３により動作を制御されて、着信があったことを光、音、振動等によりユーザに報知する。
【００４４】
このような構成を有する携帯電話端末１００は、電子メールの送受信処理に特徴を有している。以下、図３を参照して携帯電話端末１００による電子メールの送受信処理を概略的に説明した後、図４〜図１１を参照して携帯電話端末１００による電子メールの送受信処理を具体的に説明する。
【００４５】
図３は、図２に示した携帯電話端末１００を２台用いてこれらの携帯電話端末１００，１００間で電子メールを送受信する際の処理の一例を概略的に示すフローチャートである。同図に示す例では、２台の携帯電話端末１００，１００がステップＳ１〜Ｓ１１の所定のステップを行って電子メールを送受信する。
【００４６】
最初に行われるステップＳ１では、各携帯電話端末１００でカムフラージュ用管理テーブル６５ａ（図２参照）へのデータの登録が行われる。すなわち、自己を特定する真の送信元情報と、第三者から自己を隠す偽の送信元情報と、送信相手を特定する真の送信先情報と、第三者から送信先を隠す偽の送信先情報とが、個々の携帯電話端末１００でカムフラージュ用管理テーブル６５ａに登録される。このカムフラージュ用管理テーブル６５ａでは、例えば、自己を特定する真のメールアドレスと真の送信元名、第三者から自己を隠す偽のメールアドレスと偽の送信元名、および送信先毎に設定されて当該送信先を第三者から隠す偽のメールアドレスと偽の送信先名が１レコードデータとして管理される。また、隠しコマンドの設定もステップＳ１で携帯電話端末１００毎に行われる。
【００４７】
次いで行われるステップＳ２では、送信元の携帯電話端末１００でメール文書の作成が行われる。このとき、実際の用件が記載された真のメール文書と、第三者から真のメール文書を隠す偽のメール文書とが入力部１から入力され、それぞれのメールデータが記憶部６５（図２参照）に格納される。ステップＳ３では、真のメール文書に対応した真のメールデータと偽のメール文書に対応した偽のメールデータとを含む電子メールが、送信元の携帯電話端末１００から送信先の携帯電話端末１００に送信される。当該電子メールは、ステップＳ４で送信先の携帯電話端末１００により受信される。
【００４８】
上記の電子メールを受信した携帯電話端末１００では、着信報知部７５が動作して電子メールの着信を光、音、または振動でユーザに報知すると共に、電子メールの送信元を補助表示部１０（図２参照）に表示するステップＳ５が行われる。このとき補助表示部１０に表示される送信元は、カムフラージュ用管理テーブル６５ａに登録されている偽の送信元情報に基づくものである。送信先の携帯電話端末１００のユーザが電子メールの着信に気づいて電子メールを開封するステップＳ６を行うと、該ステップＳ６に続くステップＳ７で主表示部５（図２参照）に偽のメール文書が表示される。
【００４９】
この後、入力部１から隠しコマンドの入力があったか否かを指令処理部５１（図２参照）が判断するステップＳ８が行われ、隠しコマンドの入力があったと判断されたときにはステップＳ９に進んで真のメール文書を主表示部５に表示する。次いで、操作の終了を指示する指令の入力があったか否かを指令処理部５１が判断するステップＳ１０が行われ、上記指令の入力がないと判断されたときにはステップＳ９を継続し、上記指令の入力があったと判断されたときには操作を終了する。
【００５０】
一方、上述のステップＳ８で隠しコマンドの入力がなかったと判断されたときにはステップＳ１１に進んで、操作の終了を指示する指令の入力があったか否かを指令処理部５１が判断する。このステップＳ１１が上記指令の入力がないと判断されたときにはステップＳ７に戻って該ステップＳ７以降を繰り返し、上記指令の入力があったと判断されたときには操作を終了する。
【００５１】
図４は、図３に示したステップＳ１でカムフラージュ用管理テーブルに偽の送信元情報および偽の送信先情報を登録する際の手順の一例を示す概念図である。同図に示す例では、携帯電話端末１００で認証処理Ａｕが行われた後にダミーデータ管理用のソフトウエア（以下の説明および図４においては、「ダミー管理ＡＰＬ」と略記する）が立ち上がり、まず、ダミー管理ＡＰＬの初期画面Ｓ1が主表示部５（図２参照）に表示される。当該初期画面Ｓ1は、真の送信先の固有名詞情報（真の氏名）および真の送信先のメールアドレスならびに当該真の氏名や真の送信先のメールアドレスに対応づけるべきダミーデータを設定する設定操作と、既に登録されているダミーデータを参照し、削除する参照・削除操作とのどちらの操作を行うかを選択する画面である。上記のダミーデータには、偽の送信先の固有名詞情報（ダミー氏名）や偽の送信先のメールアドレス（ダミーメールアドレス）等が含まれる。
【００５２】
上記の初期画面Ｓ1でユーザがダミーデータの設定を指示する指令Ｓｅを入力すると、主表示部５の表示がダミーデータ設定画面Ｓ2に切り替わり、真の送信先の固有名詞情報（真の氏名）と真の送信先のメールアドレス（メールアドレス）、および当該真の氏名および真のメールアドレスに関連付けるべきダミー氏名とダミーメールアドレスそれぞれの入力欄が表示される。ユーザが所定のデータを入力して当該データの登録を指示する指令Ｒを入力すると、主表示部５の表示がダミーデータの登録画面Ｓ3に切り替わり、登録が完了すると、登録が完了したことを通知するポップアップウィンドウＷ1が表示される。
【００５３】
一方、上記の初期画面Ｓ1でユーザがダミーデータの参照・削除を指示する指令ＲＤを入力すると、主表示部５の表示がダミー氏名一覧画面Ｓ5に切り替わり、既に登録されているダミー氏名が一覧表示される。ユーザが所定のダミー氏名を指定して当該ダミー氏名の削除を指示する指令ＵＲを入力すると、主表示部５の表示がダミー氏名の削除画面Ｓ6に切り替わり、指定されたダミー氏名および当該ダミー氏名に対応するダミーメールアドレスの削除が完了すると、削除が完了したことを通知するポップアップウィンドウＷ2が表示される。なお、ダミー氏名一覧画面Ｓ5でユーザが特定のダミー氏名に対応する真の氏名の表示を指示する指令ＴＮを入力すると、主表示部５の表示が前述のダミーデータ設定画面Ｓ2に切り替わる。
【００５４】
電子メールの送受信は、上述のようにしてカムフラージュ用管理テーブル６５ａ（図２参照）に偽の送信元情報や偽の送信先情報等を登録した後に行われる。例えば、図１を用いて既に説明した加藤花子さんと佐藤一郎さんは、各人の携帯電話端末１００にそれぞれ所定のカムフラージュ用管理テーブル６５ａを構築した後に、互いに電子メールの送受信を行う。
【００５５】
図５は、互いに電子メールの送受信を行う加藤花子さんと佐藤一郎さんの各々が自分の携帯電話端末１００に構築したカムフラージュ用管理テーブル６５ａの一例を示す概念図である。図示の例では、加藤花子さんのダミー氏名として「鈴木課長」が、またダミーメールアドレスとして「suzuki@aaa.com」がそれぞれ登録され、佐藤一郎さんのダミー氏名として「山本社長」が、またダミーメールアドレスとして「yamamoto@boo.com」がそれぞれ登録されて、カムフラージュ用管理テーブル６５ａが構築されている。カムフラージュ用管理テーブル６５ａに登録されている加藤花子さんの真のメールアドレスは「hanako@aaa.com」であり、佐藤一郎さんの真のメールアドレスは「ichiro@boo.com」である。なお、図３に示したステップＳ１では、前述のように、隠しコマンドの設定も行われる。
【００５６】
図６は、隠しコマンドの設定を行う際の手順の一例を示す概念図である。同図に示す例では、携帯電話端末１００で認証処理が行われた後に前述のダミー管理ＡＰＬが立ち上がり、入力部１（図２参照）から隠しコマンドの設定を指示する指令Ｃｓが入力されると、主表示部５（図２参照）に隠しコマンドの入力画面Ｓ11が表示される。当該入力画面Ｓ11は、隠しコマンドを入力するときの入力画面であり、古い隠しコマンド（無い場合を含む）の表示欄、新しい隠しコマンドの入力欄、および新しい隠しコマンドの再入力欄が設けられている。新しい隠しコマンドの入力および再入力を行って当該隠しコマンドの設定を指示する指令Ｓｅを入力すると、主表示部５（図２参照）の表示が隠しコマンドの設定画面Ｓ12に切り替わり、設定が完了すると、設定が完了したことを通知するポップアップウィンドウＷ11が表示される。
【００５７】
以上説明したようにしてカムフラージュ用管理テーブル６５ａ（図２参照）への偽の送信元情報や偽の送信先情報等の登録、および隠しコマンドの設定を行った後においては、携帯電話端末１００に登録されている送信先情報を所定の機能、例えば電話帳機能やアドレス帳機能等により主表示部５に表示させたときに、まず、偽の送信先情報が表示される。そして、偽の送信先情報が主表示部５に表示されている状態で隠しコマンドを入力すると、真の送信先情報が主表示部５に表示される。このとき、隠しコマンドの入力を求めるガイド表示を行うように携帯電話端末１００を構成することも可能であるが、閲覧防止策を講じていることが第三者に察知されないようにするうえからは、当該ガイド表示を行わない方が好ましい。なお、偽の送信先情報が登録されていない送信先については、真の送信先情報が表示される。
【００５８】
例えば図５に概念的に示したカムフラージュ用管理テーブル６５ａが構築された加藤花子さんの携帯電話端末１００では、カムフラージュ用管理テーブル６５ａに登録された「山本社長」の送信先情報の表示を指示すると、図７に示すように、まず、ダミー氏名である「山本社長」とダミーメールアドレスである「yamamoto@boo.com」を示すダミーデータ画面Ｄｄが主表示部５（図２参照）に現れる。この状態で隠しコマンドＣｈが入力されると、真の氏名である「佐藤一郎」と真のメールアドレスである「ichiro@boo.com」を示す真のデータ画面Ｄｔが主表示部５に現れる。
【００５９】
カムフラージュ用管理テーブル６５ａの構築後、図３のステップＳ２に示したように、入力部１（図２参照）から真のメール文書と偽のメール文書とを入力する。携帯電話端末１００は、これら２つのメール文章がその作成時に一画面に表示されるものであってもよいし、別々の画面に表示されるものであってもよい。
【００６０】
図８は、真のメール文書と偽のメール文書それぞれの作成画面の一例を示す概略図である。同図に示すメール作成画面Ｓ21では、真のメール文書Ｍｔの表示領域が主表示部５（図２参照）の画面での上側に配置されており、その下側に偽のメール文書Ｍｄの表示領域が配置されている。各メール文章は件名と本文とを含み、真のメール文章Ｍｔの上方には真の送信先情報のうちの真の氏名Ｎｔが表示されている。記憶部６５（図２参照）に格納されている電子メールソフトは、例えば、作成するメール文章の本文領域にてメッセージ分割コードを保持することにより、１件の電子メールで２件分のメール文書の作成を可能とする。また、真のメール文書から偽のメール文書を自動生成する文書ジェネレータの機能を当該電子メールソフトにもたせることも可能である。
【００６１】
このようにして真のメール文書と偽のメール文書とを作成した後、図３のステップＳ３に示したように、真のメール文書に対応した真のメールデータと偽のメール文書に対応した偽のメールデータとを含んだ電子メールが送信される。例えば、上記の電子メールが複数のフレームに分割して送信される場合には真の送信元のメールアドレスおよび真の送信先のメールアドレスがヘッダに格納され、真のメールデータおよび偽のメールデータはユーザデータ領域に格納される。偽の送信元情報および偽の送信先情報は、フレームには格納されない。
【００６２】
図９は、上記の電子メールを受信した携帯電話端末１００で当該電子メールを開封する際の手順の一例を示すシーケンス図であり、図３に示したステップＳ６，Ｓ７に相当する。図示の例では、電子メールの開封指示Ｍｉが入力部１からユーザにより入力された後、携帯電話端末１００の記憶部６５に格納されている電子メールソフト（以下の説明および図９においては、「受信端末側メールＡＰＬ」と略記する）に従って指令処理部５１（図２参照）が動作して、当該電子メールがダミー情報付きの電子メール、すなわち偽のメールデータを含んだ電子メールであるか否かを判断するプロセスＰ1が行われる。
【００６３】
このプロセスＰ1でダミー情報付きの電子メールではないと判断されたときには、指令処理部５１が当該電子メールを通常通り開封し、表示制御部５４（図２参照）の動作を制御して主表示部５にメール文章を表示させるプロセスＰ2が行われる。
【００６４】
一方、プロセスＰ1でダミー情報付きの電子メールであると判断されたときには、指令処理部５１がカムフラージュ用管理テーブル６５ａ（図３参照）へのアクセスＡｃを行い、送信元の真のメールアドレスを元に送信元のダミー氏名を検索するプロセスＰ3が行われる。そして、このプロセスＰ3でダミー氏名Ｎｄが見つけ出されると、指令処理部５１が表示制御部５４（図２参照）の動作を制御して、主表示部５にダミー氏名と偽のメール文章（偽の件名および偽の本文）とを表示させるプロセスＰ4が行われる。隠しコマンドが入力されるまで、または表示処理が終了されるまで、主表示部５（図２参照）にはダミー氏名と偽のメール文章とが表示され続ける。
【００６５】
図１０は、上記の携帯電話端末１００で受信した電子メールから真のメール文章を表示させる際の手順の一例を示すシーケンス図であり、図３に示したステップＳ８，Ｓ９，Ｓ１１に相当する。図示の例では、隠しコマンドＣｈの入力があったことを指令処理部５１が検知すると、受信端末側メールＡＰＬに従って指令処理部５１が動作して、入力された隠しコマンドの正否確認のために隠しコマンド制御部５５（図２参照）に問い合わせＩｃを行う。この問い合わせＩｃを受けた隠しコマンド制御部５５は、入力された隠しコマンドと記憶部６５に格納されている隠しコマンドとを照合するプロセスＰ11を行い、照合結果Ｒｒを指令処理部５１に伝える。
【００６６】
上記の照合結果が図１０中に「ＮＧ」で示す「不一致」であったときは、指令処理部５１が真のメール文書の表示操作をこの時点で終了するプロセスＰ12が行われる。一方、上記の照合結果が図１０中に「ＯＫ」で示す「一致」であったときには、指令処理部５１がカムフラージュ用管理テーブル６５ａへのアクセスＡｃを行って送信元の真のメールアドレスを元に送信元の真の氏名を検索するプロセスＰ14が行われる。そして、このプロセスＰ14で真の氏名Ｎｔが見つけ出されると、指令処理部５１が表示制御部５４（図２参照）の動作を制御して主表示部５に真の氏名と真のメール文章（真の件名および真の本文）とを表示させるプロセスＰ15が行われる。
【００６７】
このように、携帯電話端末１００では第三者であっても認証を行うことなく電子メールソフトを起動させて電子メールを閲覧するが可能であるが、隠しコマンドが未入力の状態では、偽の送信元または偽の送信先と、偽のメール文書Ｓｄが主表示部５に表示される。真の送信元または真の送信先と、真のメール文章Ｓｔとは、隠しコマンドが入力されない限りは主表示部５に表示されない。このため、当該通信端末装置１００によれば、閲覧防止策が講じられていることを第三者に察知されることなく、かつ第三者に真のメール文書を閲覧されることなく、電子メールの送受信を行うことができる。
【００６８】
なお、携帯電話端末１００では、主表示部５に電子メールの送受信履歴を表示させる際にも、ダミー情報を含んだ電子メールの送受信履歴については真の送信先、真の送信元、および真のメール文書の各々を非表示とし、偽の送信先または偽の送信元、および偽のメール文書を表示させて、閲覧防止策が講じられていることを第三者に察知されることを防止すると共に第三者による真のメール文書の閲覧を防止する。真の送信先、真の送信元、および真のメール文書は、隠しコマンドが入力されたときに初めて主表示に５に表示される。
【００６９】
図１１は、携帯電話端末１００による電子メールの送受信履歴で真の氏名（真の送信先または真の送信元）と真のメール文章とを表示させる際の手順の一例を示すシーケンス図である。図示の例では、偽の氏名と偽のメール文書とが送受信履歴として主表示部５に表示されているときに隠しコマンドＣｈの入力があったことを指令処理部５１が検知すると、電子メールソフト（送信端末側メールＡＰＬ）に従って指令処理部５１が動作して、入力された隠しコマンドの正否確認のために隠しコマンド制御部５５（図２参照）に問い合わせＩｃを行う。この問い合わせＩｃを受けた隠しコマンド制御部５５は、入力された隠しコマンドと記憶部６５に格納されている隠しコマンドとを照合するプロセスＰ21を行い、照合結果Ｒｒを指令処理部５１に伝える。
【００７０】
上記の照合結果が図１１中に「ＮＧ」で示す「不一致」であったときは、指令処理部５１が処理を終了するプロセスＰ22が行われる。一方、上記の照合結果が図１１中に「ＯＫ」で示す「一致」であったときには、指令処理部５１がカムフラージュ用管理テーブル６５ａへのアクセスＡｃを行って、送信先の真のメールアドレスを元に送信先の真の氏名を検索するか、送信元の真のメールアドレスを元に送信元の真の氏名を検索するプロセスＰ24が行われる。そして、このプロセスＰ24で真の氏名Ｎｔが見つけ出されると、指令処理部５１が表示制御部５４（図２参照）の動作を制御し、主表示部５に真の氏名と真のメール文章（真の件名および真の本文）とを表示させるプロセスＰ25が行われる。
【実施例２】
【００７１】
この発明の通信端末装置は、偽のメール文書を送信側の端末で作成せずに、受信側の端末で自動作成するように構成することもできる。この場合、送信側の端末は、受信側の端末に偽のメール文書の作成を指示するコマンドと、真のメール文章に対応した真のメールデータとを含んだ電子メールを作成し、送信する。上記のコマンドが前述のダミー情報に相当する。また、各通信端末装置には、偽のメール文章を自動作成する文書ジェネレータが付加される。この文書ジェネレータは、上記のコマンドを含んだ電子メールをメール受信部が受信したときに、当該コマンドに従って偽のメール文書を自動作成する。
【００７２】
図１２は、この発明の通信端末装置のうちで上記の文書ジェネレータを有するものの一例を概略的に示すブロック図である。同図に示す通信端末装置１１０は、文書ジェネレータ８０を有する点を除き、図２に示した通信端末装置１００（携帯電話端末１００）と同様の構成を有している。通信端末装置１１０における文書ジェネレータ８０以外の各構成部材については、図２で用いた参照符号と同じ参照符号を付してその説明を省略する。
【００７３】
図示の通信端末装置１１０は、真のメール文章に対応した真のメールデータと、偽のメール文書の作成を指示する上記のコマンドとを含んだ電子メールを送受信することができるものである。例えば、上記の電子メールが複数のフレームに分割して送信される場合には真の送信元のメールアドレスおよび真の送信先のメールアドレスがヘッダに格納され、真のメールデータおよび上記のコマンドはユーザデータ領域に格納される。偽の送信元情報および偽の送信先情報は、フレームには格納されない。
【００７４】
偽のメール文書の作成を指示するコマンドを含んだ電子メールをメール受信部４５が受信すると、第２通信制御部５３が文書ジェネレータ８０に動作を開始させ、動作を開始した文書ジェネレータ８０が偽のメール文書に対応した文書データを自動作成して記憶部６５に格納する。電子メールの開封時には、指令処理部５１の制御の下に表示制御部５４が記憶部６５から上記の文書データや送信元情報を読み出して、主表示部５に偽のメール文書や送信元名を表示する。実施例１で説明した通信端末装置１００（携帯電話端末１００）におけるのと同様に、隠しコマンドが入力されると主表示部５に真のメール文書や真の送信元名が表示される。
【００７５】
このような構成を有する通信端末装置１１０は、上記のコマンドを含んだ電子メールの送受信を行うことができる点、および、偽のメール文書に対応した文書データを送信側端末から受信するのではなく自身で自動作成する点を除き、実施例１で説明した通信端末装置１００（携帯電話端末１００）と同様に機能するものであり、当該通信端末装置１００（携帯電話端末１００）と同様の技術的効果を奏する。
【００７６】
以上、実施例を挙げてこの発明の通信端末装置の実施の形態を具体的に説明したが、前述したように、この発明は上記の形態に限定されるものではない。例えば、この発明の通信端末装置は携帯電話端末に限定されるものではなく、可搬型または固定式のコンピュータ等であってもよい。
【００７７】
この発明の通信端末装置は、真のメールデータとダミー情報とを含んだ電子メールを送信することができる機能と、上記のダミー情報を含んだ電子メールを受信することができる機能と、上記のダミー情報を含んだ電子メールが開封されたときにはダミー情報に基づいて偽のメール文章を表示し、予め定められた隠しコマンドが入力されたときには真のメール文章を表示する機能とを所望の装置に付加することにより、得ることができる。これらの機能が付加されてさえいれば、通信端末装置の構造をどのようなものにするかは適宜選定可能である。この発明に関しては、上述した以外にも種々の変形、修飾、組合せ等が可能である。
【００７８】
（付記１）電子メールの送受信を行うことができると共に、送信したメール文書および受信したメール文書を表示部に表示することができる通信端末装置であって、
真のメール文章に対応した真のメールデータと前記真のメール文章をカムフラージュする偽のメール文章に対応したダミー情報とを含む電子メールを送信することができるメール送信部と、
前記ダミー情報を含んだ電子メールを受信することができるメール受信部と、
前記ダミー情報を含んだ電子メールが開封されたときには前記ダミー情報に基づいた偽のメール文章を前記表示部に表示させ、予め定められた隠しコマンドが入力されたときには前記真のメール文章を前記表示部に表示させる表示制御部と、
を有することを特徴とする通信端末装置。
【００７９】
（付記２）前記ダミー情報は前記偽のメール文章に対応した偽のメールデータを含み、
前記表示制御部は、前記偽のメールデータを含んだ電子メールが開封されたときに前記偽のメール文書を前記表示部に表示させることを特徴とする付記１に記載の通信端末装置。
【００８０】
（付記３）前記ダミー情報は偽のメール文書の作成を指示するコマンドであり、
該コマンドを含んだ電子メールを前記メール受信部が受信したときに、前記コマンドに基づいて偽のメール文章を自動作成する文書ジェネレータを更に有し、
前記表示制御部は、前記コマンドを含んだ電子メールが開封されたときに、前記文書ジェネレータが自動作成した偽のメール文章を前記表示部に表示させることを特徴とする付記１に記載の通信端末装置。
【００８１】
（付記４）真の送信元を特定する真の送信元情報と偽の送信元を表す偽の送信元情報とを対応づけて管理すると共に、真の送信先を特定する真の送信先情報と偽の送信先を表す偽の送信先情報とを対応づけて管理するカムフラージュ用管理テーブルを更に有し、
前記表示制御部は、前記ダミー情報を含んだ電子メールの開封時には、前記真の送信元情報を元に前記カムフラージュ用管理テーブルから読み出した偽の送信元を前記表示部に表示させ、予め定められた隠しコマンドが入力されたときには前記真の送信元を前記表示部に表示させる、
ことを特徴とする付記１〜３のいずれか１つに記載の通信端末装置。
【００８２】
（付記５）電子メールの送受信履歴を管理するロギング部を更に有し、
前記表示制御部は、前記ロギング部が管理している電子メールの送受信履歴を前記表示部に表示させることができ、前記ダミー情報を含んだ電子メールの送受信履歴については前記真の送信先、前記真の送信元、および前記真のメール文書の各々を非表示とし、前記偽の送信先または前記偽の送信元、および前記偽のメール文書を表示させる、
ことを特徴とする付記４に記載の通信端末装置。
【００８３】
（付記６）メール文章が表示される表示部を備えた通信端末装置間で電子メールを送受信する電子メールの送受信方法であって、
真のメール文章に対応した真のメールデータと前記真のメール文章をカムフラージュする偽のメール文章に対応したダミー情報とを含む電子メールを送信するメール送信ステップと、
前記ダミー情報を含んだ電子メールを受信するメール受信ステップと、
前記ダミー情報を含んだ電子メールが開封されたときには前記ダミー情報に基づいた偽のメール文章を前記表示部に表示させ、予め定められた隠しコマンドが入力されたときには前記真のメール文章を前記表示部に表示させるメール文書表示ステップと、
を含むことを特徴とする電子メールの送受信方法。
【００８４】
（付記７）前記ダミー情報は前記偽のメール文章に対応した偽のメールデータを含み、
前記偽のメールデータを含んだ電子メールが開封されたときに前記偽のメール文書を前記表示部に表示させることを特徴とする付記６に記載の電子メールの送受信方法。
【００８５】
（付記８）前記ダミー情報は偽のメール文書の作成を指示するコマンドであり、
該コマンドを含んだ電子メールを受信したときに該コマンドに基づいて偽のメール文章を自動作成する文書ジェネレートステップを更に含み、
前記メール文書表示ステップで前記コマンドを含んだ電子メールが開封されたときに、前記文書ジェネレートステップで自動作成した偽のメール文章が表示される、
ことを特徴とする付記７に記載の電子メールの送受信方法。
【００８６】
（付記９）前記メール文書表示ステップで前記ダミー情報を含んだ電子メールが開封されたときには偽の送信元が前記表示部に表示され、予め定められた隠しコマンドが入力されたときには真の送信元が前記表示部に表示されることを特徴とする付記６〜８のいずれか１つに記載の電子メールの送受信方法。
【００８７】
（付記１０）電子メールの送受信履歴を表示する履歴表示ステップを更に含み、前記ダミー情報を含んだ電子メールの送受信履歴については真の送信先、真の送信元、および真のメール文書の各々を非表示とし、偽の送信先または偽の送信元、および偽のメール文書を表示することを特徴とする付記９に記載の電子メールの送受信方法。
【００８８】
（付記１１）メール文章が表示される表示部を備えた通信端末装置間で電子メールの送受信を行う際に前記通信端末の動作を制御するプログラムであって、
送信側の通信端末装置には、真のメール文章に対応した真のメールデータと前記真のメール文章をカムフラージュする偽のメール文章に対応したダミー情報とを含む電子メールを送信するメール送信ステップを行わせ、
受信側の通信端末装置には、前記ダミー情報を含んだ電子メールを受信するメール受信ステップと、前記ダミー情報を含んだ電子メールが開封されたときには前記ダミー情報に基づいた偽のメール文章を前記表示部に表示し、予め定められた隠しコマンドが入力されたときには前記真のメール文章を前記表示部に表示するメール文書表示ステップとを行わせる、
ことを特徴とするプログラム。
【００８９】
（付記１２）前記ダミー情報として前記偽のメール文章に対応した偽のメールデータを用い、
前記メール文書表示ステップでは、前記偽のメールデータを含んだ電子メールが開封されたときに前記偽のメール文書を前記表示部に表示させることを特徴とする付記１１に記載のプログラム。
【００９０】
（付記１３）前記ダミー情報として偽のメール文書の作成を指示するコマンドを用い、
前記受信側の通信端末装置には、前記コマンドを含んだ電子メールを受信したときに該コマンドに基づいて偽のメール文章を自動作成する文書ジェネレートステップを更に行わせ、
前記メール文書表示ステップでは、前記コマンドを含んだ電子メールが開封されたときに、前記文書ジェネレートステップで自動作成した偽のメール文章を表示させる、
ことを特徴とする付記１１に記載のプログラム。
【００９１】
（付記１４）前記メール文書表示ステップで前記ダミー情報を含んだ電子メールが開封されたときには偽の送信元を前記表示部に表示させ、予め定められた隠しコマンドが入力されたときには真の送信元を前記表示部に表示させることを特徴とする付記１１〜１３のいずれか１つに記載のプログラム。
【００９２】
（付記１５）前記通信端末装置に電子メールの送受信履歴を前記表示部に表示する履歴表示ステップを更に行わせ、該履歴表示ステップでは、前記ダミー情報を含んだ電子メールの送受信履歴については真の送信先、真の送信元、および真のメール文書の各々を非表示とし、偽の送信先または偽の送信元、および偽のメール文書を表示させることを特徴とする付記１４に記載のプログラム。
【産業上の利用可能性】
【００９３】
以上説明したように、この発明は、秘密保持という点からみた電子メールの安全性が高い通信端末装置を提供するうえで有用である。
【図面の簡単な説明】
【００９４】
【図１】この発明の電子メールの送受信方法に基づいた電子メールの送受信を概略的に示す概念図である。
【図２】この発明の通信端末装置の一例を概略的に示すブロック図である。
【図３】図２に示した携帯電話端末を２台用いてこれらの携帯電話端末間で電子メールを送受信する際の処理の一例を概略的に示すフローチャートである。
【図４】図３に示したステップＳ１でカムフラージュ用管理テーブルに偽の送信元情報および偽の送信先情報を登録する際の手順の一例を示す概念図である。
【図５】互いに電子メールの送受信を行う２人が自分の携帯電話端末に構築したカムフラージュ用管理テーブルの一例を示す概念図である。
【図６】図３に示したステップＳ１で隠しコマンドの設定を行う際の手順の一例を示す概念図である。
【図７】カムフラージュ用管理テーブルが構築された携帯電話端末で主表示部に表示される偽の送信先情報と真の送信先情報それぞれの一例を示す概略図である。
【図８】図２に示した携帯電話端末での真のメール文書と偽のメール文書それぞれの作成画面の一例を示す概略図である。
【図９】図２に示した携帯電話端末で電子メールを開封する際の手順の一例を示すシーケンス図である。
【図１０】図２に示した携帯電話端末で受信した電子メールから真のメール文章を表示させる際の手順の一例を示すシーケンス図である。
【図１１】図２に示した携帯電話端末による電子メールの送受信履歴で真の氏名と真のメール文章とを表示させる際の手順の一例を示すシーケンス図である。
【図１２】この発明の通信端末装置のうちで文書ジェネレータを有するものの一例を概略的に示すブロック図である。
【符号の説明】
【００９５】
１  指令処理部
５  主表示部
１０  補助表示部
３５  メール送信部
４５  メール受信部
５４  表示制御部
６０  制御部
６５ａ  カムフラージュ用管理テーブル
７０  ロギング部
８０  文書ジェネレータ
１００  通信端末装置（携帯電話端末）
１００Ａ，１００Ｂ  通信端末装置
【図１】
0005061835.tif 000002
【図２】
0005061835.tif 000003
【図３】
0005061835.tif 000004
【図４】
0005061835.tif 000005
【図５】
0005061835.tif 000006
【図６】
0005061835.tif 000007
【図７】
0005061835.tif 000008
【図８】
0005061835.tif 000009
【図９】
0005061835.tif 000010
【図１０】
0005061835.tif 000011
【図１１】
0005061835.tif 000012
【図１２】
0005061835.tif 000013